(57)【特許請求の範囲】
【請求項１】
構造物の床若しくは天井に開口された貫通口を貫通して垂直方向に布設されるバスダクトをバスダクト支持体で支持する構造に於いて、バスダクト支持体を貫通口の側壁に取り付け、バスダクト支持体の略全体を平面視で貫通口内に配置することを特徴とするバスダクト支持構造。
【請求項２】
前記貫通口の周囲に沿って周壁を設け、該周壁内にバスダクト支持体を収容することを特徴とする請求項１記載のバスダクト支持構造。
【請求項３】
前記周壁の上端近傍高さのバスダクト外周に防火処理部を設け、前記バスダクト支持部の上方を防火処理部で覆うことを特徴とする請求項２記載のバスダクト支持構造。
【請求項４】
前記周壁を貫通口側壁に固定して貫通口周縁に沿って設け、前記バスダクト支持体を該周壁を介して貫通口側壁に取り付けることを特徴とする請求項２又は３記載のバスダクト支持構造。
【請求項５】
前記周壁の外側に固定部材、内側に支持部材を設け、該固定部材を床若しくは天井に埋設して周壁を貫通口側壁に固定すると共に、該支持部材にバスダクト支持体を取り付けることを特徴とする請求項４記載のバスダクト支持構造。
【請求項６】
前記周壁若しくは前記周壁と鉛直方向へ略連続する貫通口側壁の防火処理部を有しない側の端部に着脱自在な閉塞部材を設けることを特徴とする請求項３〜５の何れかに記載のバスダクト支持構造。
【発明の詳細な説明】
【技術分野】
【０００１】
本発明は、建築物の床等を貫通して垂直に布設されるバスダクトの支持構造に関する。
【背景技術】
【０００２】
建築物の床を貫通して垂直に布設されるバスダクトの支持構造に関連する公知技術に特許文献１〜３がある。特許文献１には、垂直バスダクトに定着する支持金具の下面と、下部取付台に立設するボルトの中途に設けた座金上にボルト周囲に巻回して載置されるスプリングコイルの上面とを相接触させ、座金上にスプリングコイルの外周を被覆する補強筒を載置し、支持金具の下面と補強筒の上面との間に小間隙を設ける支持構造が開示されている。
【０００３】
また、特許文献２には、垂直バスダクトのフランジ部の外面に固定金具を取り付け、固定金具を支持部材を介して床で支持することによりバスダクトを支持する構造に於いて、基部側が固定金具に締め付け固定され、先端側がフランジ部の縁を跨いでフランジ部の内面に押し当てられるクランプ片により、固定金具と垂直バスダクトのフランジ部とを固定することが開示されている。
【０００４】
また、特許文献３には、垂直に布設されるバスダクトを垂直方向の複数の支持箇所で固定金具等からなる支持装置で支持する構造であって、前記支持箇所の内、上部の支持箇所にバスダクトをバネで上方へ付勢する上部支持体、中間の支持箇所にバスダクトの水平方向への移動を規制する中間部支持体、最下部の支持箇所にバスダクトを固定支持する最下部支持体を設ける構造が開示されている。
【０００５】
【特許文献１】実開昭５３−２４８９９号公報
【特許文献２】実開昭６１−１１４９２５号公報
【特許文献３】特開２００２−１１８９３９号公報
【発明の開示】
【発明が解決しようとする課題】
【０００６】
ところで、特許文献１〜３の支持構造は、貫通口の周囲の床面上に支持金具・支持部材・固定金具等のバスダクト支持体を固定して設置し、貫通口を貫通して垂直方向に布設されるバスダクトを支持するものであるため、バスダクト支持体が貫通口周囲の床面上で大きく露出し、美観を損ねてしまうという不具合がある。
【０００７】
本発明は上記課題に鑑み提案するものであり、貫通口を貫通して垂直方向に布設されるバスダクトを支持する構造に於いて、バスダクト支持体が貫通口周囲の床面上で大きく露出することなく、貫通口周囲の美観に優れるバスダクト支持構造を提供することを目的とする。
【課題を解決するための手段】
【０００８】
本発明のバスダクト支持構造は、構造物の床若しくは天井に開口された貫通口を貫通して垂直方向に布設されるバスダクトをバスダクト支持体で支持する構造に於いて、バスダクト支持体を貫通口の側壁に取り付け、バスダクト支持体の略全体を平面視で貫通口内に配置することを特徴とする。
また、本発明のバスダクト支持構造は、前記貫通口の周囲に沿って周壁を設け、該周壁内にバスダクト支持体を収容することを特徴とする。例えば貫通口の周囲に沿って複数の側板を立設して周壁を設け、バスダクト支持体の全体を平面視で貫通口内に配置して、複数の側板で囲まれる領域内にバスダクトを収容する。バスダクト支持体は、周壁や側板の上端より下方で、且つ周壁や側板の下端より上方に配置する、或いは周壁や側板の上端より下方で、且つ貫通口の下端より上方に配置するとよい。
また、本発明のバスダクト支持構造は、前記周壁の上端近傍高さのバスダクト外周に防火処理部を設け、前記バスダクト支持部の上方を防火処理部で覆うことを特徴とする。例えば周壁を構成する側板の上端に設けられる上端支持片で防火板を支持する等により、周壁の上端近傍の高さに防火処理部を設け、バスダクト支持部の上方を防火処理部で覆ってバスダクト支持部の上方が隠れるようにする。更に、周壁の上端或いは防火処理部は、床面と同一高さに設けることも可能であるが、床面よりも上方位置に設けると好適である。尚、天井側にバスダクト支持部を設ける場合等に、周壁の下端近傍高さのバスダクト外周に防火板や防火シール等の防火処理部を設け、バスダクト支持部の下方を防火処理部で覆う構成とすることも可能である。
また、本発明のバスダクト支持構造は、前記周壁を貫通口側壁に固定して貫通口周縁に沿って設け、前記バスダクト支持体を該周壁を介して貫通口側壁に取り付けることを特徴とする。周壁は貫通口近傍の床面上から立設する構成とすることも可能であるが、貫通口側壁に固定して貫通口周縁に沿い貫通口から上方へ立設するようにすると好適であり、又、バスダクト支持体は周壁を構成する側板等を介して貫通口側壁に取り付けると好適である。
また、本発明のバスダクト支持構造は、前記周壁の外側に固定部材、内側に支持部材を設け、該固定部材を床若しくは天井に埋設して周壁を貫通口側壁に固定すると共に、該支持部材にバスダクト支持体を取り付けることを特徴とする。
また、本発明のバスダクト支持構造は、前記周壁若しくは前記周壁と鉛直方向へ略連続する貫通口側壁の防火処理部を有しない側の端部に着脱自在な閉塞部材を取り付けることを特徴とする。例えば周壁の上端に防火板等の防火処理部を設け、天井面の周壁の下端若しくは周壁と略連続して延びる貫通口側壁の下端に、ビス止めする蓋など着脱自在な閉塞部材を取り付ける。
尚、本願の発明には、各発明や実施例の部分的な構成を他の発明や実施例等の構成に変更し、或いは各発明や実施例の構成に他の構成を付加し、或いは各発明や実施例の部分的な構成を部分的な作用効果が得られる限度で削除して上位概念化したものも含まれる。
【発明の効果】
【０００９】
本発明のバスダクト支持構造は、バスダクト支持体を貫通口の側壁に取り付けて略全体を平面視で貫通口内に配置することにより、バスダクト支持体が貫通口周囲の床面上で大きく露出することを防止し、貫通口周囲の美観を高めることができる。また、貫通口の周囲に沿って設ける周壁内にバスダクト支持体を収容して、バスダクト支持体を周囲から隠れるようにすることで、貫通口周囲の美観をより高めることができる。また、周壁の上端近傍高さのバスダクト外周に防火処理部を設け、防火処理部でバスダクト支持部の上方を覆うことにより、簡単に高い施工性で防火処理を施すことができると共に、バスダクト支持体の上方から視認不能として貫通口周囲の美観をより高めることができる。
【００１０】
また、周壁を貫通口側壁に固定して貫通口周縁に沿って設けることにより、周壁が貫通口の近傍外側へはみ出すことを抑止してより美観を高められると共に、固定した周壁を介在してバスダクト支持体を貫通口側壁に取り付けることで、バスダクト支持体の取付作業を容易にすることができる。また、周壁の外側に設けられる固定部材を床若しくは天井に埋設して周壁を貫通口側壁に固定することにより、周壁を非常に高い強度で床等に固定することができると共に、周壁の内側に設けられる支持部材にバスダクト支持体を取り付けることにより、バスダクト支持体の取付作業を一層容易にすることができる。また、周壁若しくは周壁と鉛直方向へ略連続する貫通口側壁の防火処理部を有しない側の端部に着脱自在な閉塞部材を設けることにより、防火処理部を有しない側の端部を閉塞して美観を高めることできると共に、着脱自在な閉塞部材で良好なメンテナンス性を確保することができる。
【発明を実施するための最良の形態】
【００１１】
以下、本発明の実施例のバスダクト支持構造について説明するが、本発明は以下の実施例や例示に限定されるものではなく、各実施例や例示の構成を適宜組み合わせたものも本発明に含まれる。
【実施例１】
【００１２】
第１実施例は、図１の上部支持体４０、図２の最下部支持体５０、図３の中間部支持体６０にそれぞれ本発明のバスダクト支持構造を用いたものであり、例えば構造物の複数階の床２０を貫通して垂直方向へ布設される垂直バスダクト１０を、最下部の支持箇所に設けられる最下部支持体５０で構造物の床２０と固定し、最上部の支持箇所若しくは上部位置の支持箇所に設けられる上部支持体４０で上方へ引っ張るようにして支持し、最上部の支持箇所若しくは上部位置の支持箇所の間の支持箇所に設けられる中間部支持体６０で水平方向への移動を規制しながら支持する構成である。
【００１３】
本例で支持する垂直バスダクト１０は、図１〜図３に示すように、絶縁物で被覆した３線の導体１１を積層配置し、積層した導体１１を厚さ方向両側に配置した一対のバスダクトハウジング１２・１２で挟持するものである。バスダクトハウジング１２は、導体１１を収容する断面視コ字形の収納凹部１２１と、収納凹部１２１の両端縁からそれぞれ略直角に屈曲して側方へ延設されたフランジ１２２と、フランジ１２２の端縁から略直角に屈曲して外方へ延設された第１補強板１２３と、第１補強板１２３の端縁から略直角に屈曲してフランジ１２２と略平行となるように側方へ延設された第２補強板１２４と、第２補強板１２４の端縁から略直角に屈曲して内方へ延設された第３補強板１２５とを有し、収納凹部１２１の外面と第２補強板１２４の外面は面一になっている。第３補強板１２５の先端には凸条若しくは凹条が形成されており、一方のハウジング１２の第３補強板１２５の凸条を対向する他方のハウジング１２の第３補強板１２５の凹条に係合して当接し、フランジ１２２・１２２の内面を面接触した状態でハウジング１２・１２相互を位置決め可能である。そして、一対のハウジング１２・１２は、積層した導体１１の厚さ方向両側に配置され、フランジ１２２・１２２を面接触して位置決めされ、一対の収納凹部１２１・１２１相互で断面視略矩形の空間を形成し、前記空間に積層した導体１１を収容すると共に、断面視コ字形の補強板１２３〜１２５の一対で断面視略矩形の空間を形成する。更に、面接触したフランジ１２２・１２２相互をリベット若しくはボルト・ナット等の締着具で締着し、収納凹部１２１・１２１で積層した導体１１を挟持する垂直バスダクト１０が形成される。垂直バスダクト１０は、構造物の床２０に開口された貫通口２１を貫通して布設され、垂直方向に延びるバスダクト幹線路を構成する。
【００１４】
また、床２０には、予め墨出し等を行って特定した所定箇所に、図４に示すケーシング３０が側壁２２に固定された平面視略方形の貫通口２１を形成する。前記ケーシング３０は、バスダクト１０の幅方向両側に配置される一対の第１側板３１と、バスダクト１０の厚さ方向両側に配置される一対の第２側板３２と、支持体４０、５０、６０の支持基盤となる一対の支持部材３３と、一対の固定部材３４の４種８個の部材を組み立てて構成される。
【００１５】
第１側板３１は、防火性の素材で形成され、バスダクト１０と平行に配置される基板３１１と、基板３１１の上端縁から外方へ略直角に屈曲して延設されている上端片３１２と、基板３１１の下端縁から外方へ略直角に屈曲して延設されている下端片３１３と、基板３１１の側端縁から内方へ略直角に屈曲して延設されている側端片３１４とを有し、上端片３１２は後述の載置される防火板を支持する支持片として機能する。また、第２側板３２は、防火性の素材で形成され、断面視略コ字形であり、バスダクト１０と平行に配置される基板３２１と、基板３２１の上端縁から外方へ略直角に屈曲して延設されている上端片３２２と、基板３２１の下端縁から外方へ略直角に屈曲して延設されている下端片３２３とを有し、上端片３２２は後述の載置される防火板を支持する支持片として機能する。支持部材３３、固定部材３４は、それぞれ断面視略Ｌ字形の棒状部材であり、支持部材３３は取付板３３１、支持板３３２を有し、固定部材３４は取付板３４１、固定板３４２を有する。
【００１６】
ケーシング３０を形成する際には、一対の第１側板３１・３１を側端片３１４を内側にして対向配置し、その第１側板３１の側端片３１４と基板３２１とが平行になるようにし且つ上端片３２２や下端片３２３を外側にして一対の第２側板３２・３２を対向配置し、第１側板３１の側端片３１４の内面と第２側板３２の基板３２１の外面とが面接触させ側端片３１４で基板３２１の両側近傍を覆うようにして第２側板３２・３２を第１側板３１・３１間に組み込み、前記側端片３１４と基板３２１の接触部分の所定箇所をボルト・ナット等の締着具で固定し、平面視略矩形枠状の構造体を形成する。前記構造体では、側板３１、３２の上端片３１２、３２２の上面が面一となり、又、下端片３１３、３２３の下面が面一となる。更に、第１側板３１の基板３１１の内面に支持部材３３の取付板３３１を水平方向に沿わせて支持板３３２が内方に突出するように配置し、ボルト・ナット等の締着具で基板３１１と取付板３３１とを固定すると共に、第１側板３１の基板３１１の外面に固定部材３４の取付板３４１を水平方向に沿わせて固定板３４２が外方に突出するように配置し、ボルト・ナット等の締着具で基板３１１と取付板３４１とを固定する。前記支持部材３３の支持板３３２と固定部材３４の固定板３４１は略同一平面状に配置すると好適であり、又、取付板３３１、３４１は基板３１１を挟んで略同一位置に配置し、ボルト・ナット等の締着具で一括して固定すると好適である。
【００１７】
ケーシング３０を貫通口２１に設ける場合、図１〜図３に示すように、例えば床２０の貫通口２１を形成する箇所に予め大きめの貫通口を形成し、その貫通口内にケーシング３０の下部を配置し、第１側板３１と第２側板３２の基板３１１、３２１の外面と貫通口の側壁が面接触するまでコンクリートを流し込んで、前記大きめの貫通口を縮小して貫通口２１を形成すると共に、外方に突出している固定部材３４の固定板３４２を床２０を構成するコンクリート内に埋設し、ケーシング３０を貫通口２１の側壁２２に於いて床２０に固定する。本例では側板３１、３２の上端である上端片３１２、３２２が床面より所定高さだけ間を開けて上方位置に配置されるようにケーシング３０を設けるが、上端片３１２、３２２が床面に接触するように設けることも可能である。貫通口２１や貫通口２１に固設されたケーシング３０内には、垂直バスダクト１０を貫通して垂直布設する。
【００１８】
そして、各高さの支持箇所に於いて、貫通口２１内に配置されている支持部材３３の支持板３３２に、バスダクト１０の上部支持体４０、最下部支持体５０、中間部支持体６０を取り付け、支持体４０、５０、６０を、固定部材３４の埋設で側壁２２に固定されている第１側板３１と支持部材３３を介して、貫通口２１の側壁２２に間接的に取り付け、平面視で貫通口２１内に配設すると共に、支持体４０、５０、６０を第１側板３１、第２側板３２で囲まれる領域内に収容し、前記領域の上端である側板３１、３２の上端片３１２、３２２の上面より支持体４０、５０、６０の上端部分が常時下方に位置するように構成する（図１〜図３参照）。
【００１９】
上部支持体４０は、図１に示すように、雄ねじが周囲に螺刻された垂直方向に立設する案内棒４１と、支持板３３２を挟む上下位置で案内棒４１に螺合され、支持部材３３の支持板３３２に形成された穴に挿通された案内棒４１の下端近傍を支持板３３２に締着して固定するナット４２と、案内棒４１の外周に周設される弾性部材のバネ４３と、後述の上片４５２と下片４５３との間で案内棒４１に螺合され、バネ４３の下端を支持するナット４４と、後述の上片４５２と下片４５３に案内棒４１を挿通され、バネ４３で上方に付勢されて押し上げられるように支持されると共に、バスダクト１０を厚さ方向両側に配置されてバスダクト１０と固定状態となる固定板４５と、両側の固定板４５・４５に貫通して設けられ、螺合されるナット４６１と供に対向する固定板４５・４５をバスダクト１０の厚さ方向に締め付け、且つバスダクト１０の幅方向両側に密接して幅方向両側の移動を規制するボルト４６を備える。固定板４５は、断面視略コ字形で、基板４５１の上端縁から略直角で外方へ屈曲延設される上片４５２と、基板４５１の下端縁から略直角で外方へ屈曲延設される下片４５３を有し、上片４５２及び下片４５３に形成された穴に案内棒４１が挿通され、上片４５２の下面が圧縮された状態のバネ４３で上方へ付勢されて押し上げられるように支持されると共に、対向する固定板４５・４５の基板４５１・４５１に貫通するボルト４６に螺合するナット４６１の締め付けで、固定板４５・４５間のバスダクト１０を挟持し、バスダクト１０に対して固定される。バスダクト１０と固定状態となっている固定板４５がバネ４３の上方付勢で上方へ引っ張られるように支持されることから、バスダクト１０も上方へ引っ張られるように支持される。
【００２０】
最下部支持体５０は、図２に示すように、バスダクト１０の厚さ方向の両側に一対で対向配置され、基板５１１の下端縁から下片５１２が略直角で屈曲延設されている断面視略Ｌ字形の固定板５１と、支持板３３２と下片５１２の対応位置に形成されている孔に挿通されるボルト５２と、ボルト５２の頭部と支持板３３２及び下片５１２を挟んで螺合され、ボルト５２との締め付けで支持板３３２と下片５１２、即ち支持部材３３と固定板５１とを固定するナット５２１と、両側の固定板５１・５１の基板５１１・５１１に貫通して設けられ、螺合されるナット５３１と供に対向する固定板５１・５１をバスダクト１０の厚さ方向に締め付け、且つバスダクト１０の幅方向両側に密接して幅方向両側の移動を規制するボルト５３を備える。バスダクト１０は厚さ方向両側の固定板５１・５１の挟持で固定板５１・５１と固定され、又、固定板５１は支持部材３３に固定され、支持部材３３や第１側板３１等を介して貫通口２１の側壁２２に於いて床２０に固定されていることから、バスダクト１０は構造物の床２０に対して固定される。
【００２１】
中間部支持体６０は、図３に示すように、バスダクト１０の厚さ方向の片側に配置され、基板６１１の下端縁から下片６１２が略直角で屈曲延設されている断面視略Ｌ字形の固定板６１と、支持板３３２と下片６１２の対応位置に形成されている孔に挿通されるボルト６２と、ボルト６２の軸部に周設され、下端をボルト６２の頭部で支持され、ボルト６２と供に前記支持板３３２と下片６１２の孔に挿通されるパイプスペーサ６３と、パイプスペーサ６３の上端に当接してボルト６２の軸部に填められるワッシャー６２１と、ワッシャー６２１の上側でボルト６２の軸部に螺合されるナット６２２と、当接状態の第３補強板１２５・１２５と略同一長さの外板６４２が基板６４１の外端縁から略直角に屈曲して延設され、第１補強板１２３と略同一長さの内板６４３が基板６４１の内端縁から略直角に屈曲延設されている断面視略コ字形の取付部材６４と、固定板６１の基板６１１と取付部材６４の基板６４１に貫通して設けられ、基板６４１の外側で螺合されるナット６５１と供に固定板６１と取付部材６４をバスダクト１０の厚さ方向へ締め付け、且つバスダクト１０の幅方向両側に密接して幅方向両側の移動を規制するボルト６５を備える。ボルト６５とナット６５１の締付により、固定板６１の基板６１１と取付部材６４の基板６４１とで第２補強部１２４を押圧してバスダクト１０が挟持され、更に、内板６４３が第１補強板１２３に接触してボルト６５の軸部と内板６４３とで補強部１２３、１２４、１２５が保持されて、固定板６１と取付部材６４とバスダクト１０とが固定される。また、固定板６１は水平方向への移動を規制されて取り付けられていることからバスダクト１０は水平方向への移動が規制されるが、固定板６１はワッシャー６２１とボルト６２の頭部との間の距離、即ちパイプスペーサ６３の高さ分上下動可能であり、固定板６１に固定されているバスダクト１０も上下動可能になっている。尚、支持体４０、５０、６０でバスダクト１０を支持することにより、バスダクト１０の通電時の伸びを吸収すること等が可能である。
【００２２】
更に、支持体４０、５０、６０による支持構造には、図１〜図３に示すように、防火テープ７１と防火板７２と防火シール７３、７４とで構成される防火処理部を設ける。防火シール７３は、側板３１、３２の上端片３１２、３２２の高さの略近傍領域に於いて、バスダクト１０の収納凹部１２１とフランジ１２２と第１補強部１２３で囲まれる空間に防火用のシール材を充填して設け、前記領域でバスダクト１０と防火シール７３の全体を略矩形とする。防火テープ７１は、収納凹部１２１、防火シール７３、第２補強板１２４、第３補強板１２５で形成される略矩形の外周の全体に亘って、例えば黒鉛含有のブチルゴムシートなどプラスチック系耐火材料の防火テープを１周以上巻いて設ける。防火板７２は、平面視略コ字形の板材を２枚突合して構成される平面視方形であり、その中央にはバスダクト１０の防火テープ７１を設けた箇所の外周よりも僅かに大きく且つ前記箇所の外形と同形の開口７２１を有し、開口７２１内に前記防火テープ７１を設けた箇所が位置するように配置され、外周近傍の下面を側板３１、３２の上端片３１２、３２２上に載置され、上端片３１２、３２２に固着される。防火シール７４は、防火板７２の開口７２１と前記防火テープ７１が設けられた箇所の外周との間の隙間の上端近傍をシール材で埋めて設ける。
【００２３】
尚、防火テープ７１、防火板７２、防火シール７３、７４には適宜のものを用いることが可能であるが、防火テープ７１に用いるテープの素材は、熱膨張性材料とすると好適であり、例えばエポキシ樹脂、リン化合物、中和処理された熱膨張性黒鉛、及び無機充填材を外遊する樹脂組成物、熱可塑性樹脂及び／又はゴム物質、リン化合物、中和処理された熱膨張性黒鉛、及び無機充填材を含有する樹脂組成物等とするとよい。また、防火板７２には、例えば、ポリエチレン、ポリプロピレン、ポリブテン、塩化ビニル、ポリエチレンテレフタレート、ポリアセタール、ナイロン、ＡＢＳ樹脂、フェノール、ポリカーボネート、アクリル、ＥＰＴ、ＮＢＲ、ブチルゴム、ＣＲ、フッ素ゴム、シリコーンゴム、ウレタンゴム、ネオプレンゴム、ＥＰＤＭ等で形成したものや、金属板、木板、ケイカル板、石膏ボード等から形成したものを使用可能であり、更に、これらの各材料の積層体等も使用可能である。また、防火シール７３、７４に用いる防火用のシール材としては、例えばモルタル、セラミックスウール、ロックウール、ガラスウール、パテ等の不燃材とすると好適である。
【００２４】
上記第１実施例のバスダクト支持構造は、バスダクト１０の支持体４０、５０、６０が平面視で貫通口２１内に配置され且つ側板３１、３２で囲まれる領域に配置されることから、支持体４０、５０、６０が貫通口２１の周囲の床面上で露出することがなく、貫通口２１の周囲の美観を高めることができる。更に、側板３１、３２で囲まれる領域の上側には防火板７２が覆設されるなど防火処理部が設けられ、支持体４０、５０、６０が床面上で隠れて視認できなくなることから、貫通口２１周囲の美観を一層高めることができる。また、貫通口２１に於いて上下階の延焼を防止するため等で防火処理を施すに際し、例えば支持体４０、５０、６０の設置で狭くなった貫通口２１近傍等で防火処理を行う必要がなく、側板３１、３２の上端近傍で簡単且つ確実な防火処理を行うことができ、防火処理の施工性を高められる。特に、複数系統のバスダクトを並設して貫通口に設ける場合、支持体相互間の狭い空間で防火処理を行う必要があるが、斯様な場合に前記防火処理の施工性向上の効果は顕著となる。また、側板３１、３２の上端片３１２、３２２や防火処理部を床面より上方位置に配置することにより、施工時に施工者が腰を痛めることを無くす等、施工性を一層高めることができる。また、防火処理部を支持体４０、５０、６０の上側に設けて貫通口２１の下側を開放していることから、施工後の支持体４０、５０、６０の点検等を床２０を天井とする下階から容易に行うことができ、メンテナンス性が高い。
【実施例２】
【００２５】
次に、第２実施例のバスダクト支持構造について、第１実施例と異なる箇所の詳細を説明する。
【００２６】
第２実施例は、図５及び図６に示すように、最下部支持体５０を第１側板３１や貫通口２１の側壁２２に対して固定するに際して、第１実施例の支持部材３３を設ける構成に代え、支持部材８０を設けて固定板５１を第１側板３１に固定し、更に、中間部支持体６０についても最下部支持体５０の支持部材８０を一部変更した支持部材８０ａを用いたものであり、他の構成は第１実施例と同様である。
【００２７】
最下部支持に於ける支持部材８０は、図５及び図７に示すように、断面視略Ｚ字形であり、第１側板３１の基板３１１の上端近傍に沿って水平に配置され、ボルト・ナット等の締着具８４で基板３１１に固定される細長の取付板８１と、取付板８１の下端縁から略直角に内方へ屈曲して延設されている中板８２と、取付板８１や中板８２より短い幅で、中板８２の内端縁の略中央から略直角に下方へ屈曲して延設されている下板８３とを有し、下板８３は上部の幅狭部８３１と下部の幅広部８３２とからなる側面視略逆Ｔ字形である。側面視の幅狭部８３１の幅は、バスダクト１０の厚さ、即ち挟持状態の固定板５１・５１の基板５１１・５１１間の距離と同じが僅かに短くなっており、又、幅狭部８３１の高さは基板５１１の高さと略同一か僅かに長くなっており、幅狭部８３１は基板５１１・５１１間に配設される。また、側面視の取付板８１、中板８２、下板８３の幅広部８３２の幅は、バスダクト１０の厚さ、即ち挟持状態の固定板５１・５１の基板５１１・５１１間の距離より長くなっており、取付板８１と中板８２の幅は同一で、下板８３の幅広部８３２の幅は取付板８１中板８２の幅より短く、挟持状態の固定板５１・５１の下片５１２・５１２の両外端間の距離の長さと略同一である。基板５１１・５１１間に幅狭部８３１を配設された固定板５１は、基板５１１の上端の中板８２下面への当接による位置決めで上方への移動が規制され、基板５１１の下端の下板８３の幅広部８３２の上端への当接による位置決めで下方への移動が規制され、構造物や床２０に対して固定される。
【００２８】
また、中間部支持に於ける支持部材８０ａは、図６及び図８に示すように、中板８２ａが下板８３の幅狭部８３１と同幅で形成されていることのみが最下部支持の支持部材８０と異なり、その取付や各部の配置構成は、下板８３の幅狭部８３１が挟持状態の固定板６１・６１の基板６１１・６１１間に配設される等、上記最下部支持の支持部材８０の場合と同様である。固定板６１は、基板６１１の下端の下板８３の幅広部８３２の上端への当接による位置決めで下方への移動が規制されるが、中板８２ａが幅狭部８３１と同様の幅狭であることから、基板６１１の上端は中板８２ａに当接せず、固定板６１は上方への移動が可能である（図８（ｃ）参照）。尚、固定板５１・６１の基板５１１・６１１と幅狭部８３１の両側端との当接により、最下部支持体５０、中間部支持体６０の水平方向の移動が規制される。
【００２９】
上記第２実施例のバスダクト支持構造は、第１実施例同様の効果を発揮すると共に、中間部支持体６０の支持構造を形成する際の部品点数及び種類を減らすことが可能であり、施工性の向上や部品コストの低減を図ることができる。また、最下部支持体５０や中間部支持体６０を第１側板３１に取り付けるに際し、ボルト締めを上方位置で行うことができ、斯かる点からも施工性が向上する。
【００３０】
以上、本発明の第１、第２実施例について説明したが、本発明はその他に、例えば以下のような拡張や変形を包含する。
【００３１】
上記実施例のバスダクト１０は、３線式で２分割のハウジング１２で導体１１を被覆するものとしたが、本発明を用いるバスダクトの構造は適宜であり、例えば２線式又は４線式以上のバスダクトや、４分割のハウジングで導体の両側面と前後面を覆うバスダクト等としてもよい。更に、絶縁物で導体１１を被覆する絶縁型バスダクトに限定されず、空気で絶縁する空気絶縁型のバスダクト等でもよい。
【００３２】
また、上記実施例では、最上部若しくは上部の支持箇所でバスダクト１０を上方へ引っ張り、下部の支持箇所でバスダクト１０を構造物と固定し、中間部の支持箇所でバスダクト１０の水平方向への移動を規制する構成としたが、各階の支持箇所でバスダクト１０を上方へ引っ張る構成や、上部の支持箇所でバスダクト１０を固定し、それより下部の支持箇所で下方へ引っ張る構成や、或いは各階の支持箇所でバスダクト１０の荷重を常時支持する構造とするなど、各階の支持構造やそれらの組み合わせである全体の支持構造は適宜である。また、上記実施例の支持体４０、５０、６０は、床２０の貫通口２１内や床面より上方に突出して設けるようにしたが、下階の天井側に突出して設ける構成等とすることも可能である。
【００３３】
また、バスダクト１０の固定に関し、支持部材に固定されない固定板を平板の固定板とすることも可能であり、例えば下片６１２を有しない平板の基板６１１のみからなる固定板６１とし、固定板６１の下端を支持部材３３の支持板３３２に載置する構成としてもよい。また、取付部材６４を平板の基板６４１のみからなるものとすることも可能であり、前記取付部材６４を用いることでコストダウンを図ることが可能である。
【００３４】
また、ケーシング３０や防火処理部の構造は上記実施例の構造に限定されず、例えば図９に示すように、第１側板３１を、基板３１１の上端縁から内方へ略直角に屈曲して延設される上板３１５と、上板３１５の内端縁から下方へ略直角に屈曲して延設される中板３１６と、中板３１６の下端縁から内方へ略直角に屈曲して延設される下板３１７を有するものとし、両側の第１側板３１・３１の下板３１７・３１７の先端を突合して下板３１７と中板３１６とで囲まれる空間を形成し、前記空間にブロック状の防火材７５或いはパテなど防火用のシール材を充填して防火シール７７をバスダクト１０の外周を密接するように設け、防火材７５或いは防火シール７７と上板３１５上に防火板７２を載置して固定し、更に、防火板７２とバスダクト１０との間に生ずる隙間を防火シール７６で埋める構成等としてもよい。尚、防火処理部は、支持体の上方位置で防火処理するものとすると好適であるが、それ以外の位置で防火処理するものとすることも可能である。
【００３５】
また、上記実施例では、ケーシング３０内の領域或いは側板３１、３２で囲まれる領域の下方を開放する構成としたが、前記領域の下面を蓋等で塞ぎ下方を閉塞して美観を高めるようにしてもよく、好適には下階の天井側から蓋等を着脱可能にしてメンテナンス性を高めるとよい。また、ケーシング３０或いは側板３１、３２は、例えば支持部材を取付可能で支持体の外周を覆える適宜の構成とすることが可能であり、支持体の高さに応じて適宜の高さのケーシング３０或いは側板３１、３２を用いることが可能である。
【産業上の利用可能性】
【００３６】
本発明は、例えば建築物に布設される垂直バスダクトの支持構造として利用することができる。
【図面の簡単な説明】
【００３７】
【図１】（ａ）は第１実施例の上部支持体のバスダクト支持構造を示す縦断正面図、（ｂ）は同図（ａ）の支持構造の縦断側面図、（ｃ）は同図（ａ）のＡ−Ａ矢視断面図、（ｄ）は同図（ａ）のＢ−Ｂ矢視断面図。
【図２】（ａ）は第１実施例の最下部支持体のバスダクト支持構造を示す縦断正面図、（ｂ）は同図（ａ）の支持構造の縦断側面図、（ｃ）は同図（ａ）のＡ−Ａ矢視断面図、（ｄ）は同図（ａ）のＢ−Ｂ矢視断面図。
【図３】（ａ）は第１実施例の中間部支持体のバスダクト支持構造を示す縦断正面図、（ｂ）は同図（ａ）の中間部支持構造の縦断側面図、（ｃ）は同図（ａ）のＡ−Ａ矢視断面図、（ｄ）は同図（ａ）のＢ−Ｂ矢視断面図。
【図４】（ａ）は第１実施例のバスダクト支持構造のケーシングを示す分解斜視図、（ｂ）は同図（ａ）のケーシングを示す斜視図。
【図５】（ａ）は第２実施例の最下部支持体のバスダクト支持構造を示す縦断正面図、（ｂ）は同図（ａ）の支持構造の縦断側面図、（ｃ）は同図（ａ）のＡ−Ａ矢視断面図、（ｄ）は同図（ａ）のＢ−Ｂ矢視断面図。
【図６】（ａ）は第２実施例の中間部支持体のバスダクト支持構造を示す縦断正面図、（ｂ）は同図（ａ）の支持構造の縦断側面図、（ｃ）は同図（ａ）のＡ−Ａ矢視断面図、（ｄ）は同図（ａ）のＢ−Ｂ矢視断面図。
【図７】（ａ）及び（ｂ）は第２実施例の最下部支持体の支持構造に於ける支持部材への固定板の設置状態を説明する斜視説明図。
【図８】（ａ）〜（ｃ）は第２実施例の中間部支持体の支持構造に於ける支持部材への固定板の設置状態を説明する斜視説明図。
【図９】（ａ）及び（ｂ）は別例の防火処理部を示す縦断正面図。
【符号の説明】
【００３８】
１０  垂直バスダクト
２０  床
２１  貫通口
２２  側壁
３０  ケーシング
３１  第１側板
３１１、３２１  基板
３１２、３２２  上端片
３１３、３２３  下端片
３１４  側端片
３２  第２側板
３３  支持部材
３３２  支持板
３４  固定部材
３４２  固定板
４０  上部支持体
５０  最下部支持体
６０  中間部支持体
７１  防火テープ
７２  防火板
７３、７４、７６、７７  防火シール
７５  防火材
８０、８０ａ  支持部材
８１  取付板
８２、８２ａ  中板
８３  下板
８３１  幅狭部
８３２  幅広部
【図１】
0004574538.tif 000002
【図２】
0004574538.tif 000003
【図３】
0004574538.tif 000004
【図４】
0004574538.tif 000005
【図５】
0004574538.tif 000006
【図６】
0004574538.tif 000007
【図７】
0004574538.tif 000008
【図８】
0004574538.tif 000009
【図９】
0004574538.tif 000010